(57)【要約】【課題】自動調理が可能で操作性に優れ、ガス調理器本体の小型化および簡素化が可能なガス調理器を提供する。【解決手段】ガス調理器本体と、ガス調理器本体に配設されたガスバーナと、ガスバーナの点消火を行う加熱／停止手動操作部と、ガスバーナによる加熱を制御するとともに、ガスバーナによる調理の終了時に前記ガスバーナによる加熱を停止する自動調理を実行する制御部と、自動調理における調理条件を設定し、表示する調理設定部とを備えたガス調理器において、制御部との間で通信データの送受信を行う無線通信を行うリモコンを備えるとともに、リモコンが、調理条件を設定し、表示するリモコン側調理設定部を備え、調理器本体が、（ａ）前記調理条件のうち所定の条件のみを設定し、表示する限定的調理設定部を備えているか、または、（ｂ）前記調理条件を設定し、表示する調理設定部を備えていない構成とする。【選択図】図２Ａ
2018194261.tif 000002
【特許請求の範囲】
【請求項１】
ガス調理器本体と、
前記ガス調理器本体に配設された、調理物を加熱するガスバーナと、
前記ガスバーナの点消火を行う加熱／停止手動操作部と、
前記ガスバーナによる加熱を制御するとともに、前記ガスバーナによる調理の終了時に前記ガスバーナによる加熱を停止する自動調理を実行する制御部と、
前記自動調理における調理条件を設定し、表示する調理設定部と
を備えたガス調理器であって、
前記制御部との間で通信データの送受信のための無線通信を行うリモコンを備えており、
前記リモコンが、前記調理条件を設定し、表示するリモコン側調理設定部を備え、
前記調理器本体が、
（ａ）前記調理条件のうち所定の条件のみを設定し、表示する限定的調理設定部を備えているか、または、
（ｂ）前記調理条件を設定し、表示する調理設定部を備えていないこと
を特徴とするガス調理器。
【請求項２】
前記自動調理が終了した時点で、前記制御部が前記リモコンに対し、前記無線通信によって、前記通信データとして自動調理終了信号を送信するように構成され、
前記リモコンが、前記自動調理終了信号を受信したときに前記自動調理が終了した旨の報知を行う報知部を備えていること
を特徴とする請求項１記載のガス調理器。
【請求項３】
該ガス調理器が複数存在している場合において、複数のガス調理器のそれぞれに異なるＩＤコードが設定されており、
前記リモコンが、前記無線通信において、前記通信データに前記ＩＤコードを含めて前記制御部への送信を行うように構成され、
前記制御部が、受信した前記通信データに前記ＩＤコードが含まれるとき、前記通信データを当該制御部に対応するリモコンからの通信データとして受信するとともに、
前記制御部が、前記無線通信において、前記通信データに前記ＩＤコードを含めて前記無線通信により前記リモコンへの送信を行うように構成されており、
前記リモコンが、受信した前記通信データに前記ＩＤコードが含まれるとき、前記通信データを当該リモコンに対応するガス調理器の制御部からの通信データとして受信するように構成されていること
を特徴とする請求項１または２記載のガス調理器。
【請求項４】
前記ガス調理器本体がＩＤコード転送手段を備えているとともに、前記ＩＤコードが前記制御部に格納されており、
前記制御部が、前記ＩＤコード転送手段によって、前記ＩＤコードを前記リモコンに転送するように構成されていること
を特徴とする請求項３記載のガス調理器。
【請求項５】
前記ガス調理器本体が、交番磁界を発生させる交番磁界発生部を備え、
前記リモコンが、電源としてのバッテリーと、前記交番磁界によって発生した交流電圧を直流電圧に変換して直流電圧を発生させる直流電圧発生部とを備え、
前記バッテリーが、前記直流電圧発生部で発生した直流電圧によって充電され、かつ、
前記交番磁界発生部に重畳された前記ＩＤコードが、前記交流電圧に重畳される形態で前記リモコンに転送されるように構成されていること
を特徴とする請求項４記載のガス調理器。
【請求項６】
前記ガス調理器本体に対して所定の操作を行ったときに、前記リモコンが音による報知を行うように構成されていることを特徴とする請求項１〜５のいずれかに記載のガス調理器。
【発明の詳細な説明】
【技術分野】
【０００１】
本発明は、ガス調理器に関し、詳しくはバーナにおいて燃料であるガスを燃焼させて食材を加熱するように構成されたガス調理器に関する。
【背景技術】
【０００２】
ガス調理器には、調理時間を設定することができるように構成されたものがある。
【０００３】
そして、特許文献１には、そのようなガス調理器として、複数のコンロ部に、それぞれ点火・消火を手動操作で行うための点火・消火操作部を設けるとともに、複数のコンロ部のうちの一のコンロ部で自動調理を行うための調理設定部を一つ設けたガスコンロであって、所定の操作を行うことで自動調理を行う一のコンロ部を選択して設定する選択モードに移行し、選択モード中に所定の操作を行うことで一のコンロ部を選択して設定し、設定した後はこの選択した一のコンロ部でのみ自動調理を行うことを可能にしたガス調理器（ガスコンロ）が提案されている。
【０００４】
このガス調理器（ガスコンロ）の場合、ガス調理器に一つの調理設定部を設けるだけで、複数のコンロ部のうち意図する一のコンロ部において自動調理を行うことが可能になり、ガス調理器本体の小型化および簡素化を図ることができて有意義である。
【先行技術文献】
【特許文献】
【０００５】
【特許文献１】特開２００９−２４３７６３号公報
【発明の概要】
【発明が解決しようとする課題】
【０００６】
しかしながら、特許文献１に記載のガス調理器（ガスコンロ）は、自動調理を行うために複雑な操作を行うことが必要で、使用者によっては、自動調理を行うことが操作上の困難になる場合がある。
【０００７】
つまり、数多くの設定用の操作部や表示部を有する調理設定部の操作が煩わしいと感じる使用者や、自動調理機能を必要としない使用者にとっては、コンロ本体に設けた多くの調理設定部は不要である。
【０００８】
しかし、調理設定部の多くの部分をガス調理器本体から削除してしまうと、自動調理機能を必要とする使用者が自動調理を行うことができなくなり、使い勝手が悪いという問題点がある。
【０００９】
本発明は、上記の課題を解決するもので、調理条件を設定するための、数多くの操作部や表示部を有する調理設定部の操作が煩わしいと感じる使用者や、自動調理機能を必要としない使用者にとっては、操作が簡単で使いやすく、自動調理機能を必要とする使用者にとっては、自動調理を行うことが可能な、使い勝手の良好なガス調理器を提供することを目的とする。
【課題を解決するための手段】
【００１０】
上記の目的を達成するために、本発明のガス調理器は、
ガス調理器本体と、
前記ガス調理器本体に配設された、調理物を加熱するガスバーナと、
前記ガスバーナの点消火を行う加熱／停止手動操作部と、
前記ガスバーナによる加熱を制御するとともに、前記ガスバーナによる調理の終了時に前記ガスバーナによる加熱を停止する自動調理を実行する制御部と、
前記自動調理における調理条件を設定し、表示する調理設定部と
を備えたガス調理器であって、
前記制御部との間で通信データの送受信のための無線通信を行うリモコンを備えており、
前記リモコンが、前記調理条件を設定し、表示するリモコン側調理設定部を備え、
前記調理器本体が、
（ａ）前記調理条件のうち所定の条件のみを設定し、表示する限定的調理設定部を備えているか、または、
（ｂ）前記調理条件を設定し、表示する調理設定部を備えていないこと
を特徴としている。
【００１１】
本発明のガス調理器においては、前記自動調理が終了した時点で、前記制御部が前記リモコンに対し、前記無線通信によって、前記通信データとして自動調理終了信号を送信するように構成され、
前記リモコンが、前記自動調理終了信号を受信したときに前記自動調理が終了した旨の報知を行う報知部を備えていること
が好ましい。
【００１２】
また、該ガス調理器が複数存在している場合において、複数のガス調理器のそれぞれに異なるＩＤコードが設定されており、
前記リモコンが、前記無線通信において、前記通信データに前記ＩＤコードを含めて前記制御部への送信を行うように構成され、
前記制御部が、受信した前記通信データに前記ＩＤコードが含まれるとき、前記通信データを当該制御部に対応するリモコンからの通信データとして受信するとともに、
前記制御部が、前記無線通信において、前記通信データに前記ＩＤコードを含めて前記無線通信により前記リモコンへの送信を行うように構成されており、
前記リモコンが、受信した前記通信データに前記ＩＤコードが含まれるとき、前記通信データを当該リモコンに対応するガス調理器の制御部からの通信データとして受信するように構成されていること
が好ましい。
【００１３】
また、前記ガス調理器本体がＩＤコード転送手段を備えているとともに、前記ＩＤコードが前記制御部に格納されており、
前記制御部が、前記ＩＤコード転送手段によって、前記ＩＤコードを前記リモコンに転送するように構成されていること
が好ましい。
【００１４】
また、前記ガス調理器本体が、交番磁界を発生させる交番磁界発生部を備え、
前記リモコンが、電源としてのバッテリーと、前記交番磁界によって発生した交流電圧を直流電圧に変換して直流電圧を発生させる直流電圧発生部とを備え、
前記バッテリーが、前記直流電圧発生部で発生した直流電圧によって充電され、かつ、
前記交番磁界発生部に重畳された前記ＩＤコードが、前記交流電圧に重畳される形態で前記リモコンに転送されるように構成されていること
が好ましい。
【００１５】
また、前記ガス調理器本体に対して所定の操作を行ったときに、前記リモコンが音による報知を行うように構成されていることが好ましい。
【発明の効果】
【００１６】
本発明のガス調理器は、上述のように、制御部との間で通信データの送受信のための無線通信を行うリモコンを備えるとともに、このリモコンが、調理条件を設定し、表示するリモコン側調理設定部を備え、ガス調理器本体が、（ａ）調理条件のうち所定の条件のみを設定し、表示する限定的調理設定部を備えているか、または、（ｂ）調理条件を設定し、表示する調理設定部を特に備えていないという構成を備えており、リモコンに種々の調理に必要な調理条件の設定や表示を行う設定部を設けることによって、ガス調理器本体の調理設定部の操作や表示の確認が煩わしいと感じる使用者や、自動調理機能を必要としない使用者にとっては、ガス調理器本体がシンプルで使いやすく、自動調理機能を必要とし、かつ、種々の調理条件を設定して調理を行いたい使用者にとっては、リモコンの調理設定部から指令を行うことで、自動調理を行うことや、種々の調理条件を設定して調理を行うことが可能で、使い勝手の良いガス調理器を提供することが可能になる。
【００１７】
また、自動調理が終了した時点で、制御部がリモコンに対し通信データとして自動調理終了信号を送信するように構成するとともに、リモコンが、自動調理終了信号を受信したときに自動調理が終了した旨の報知を行う報知部を備えた構成とした場合、使用者がガス調理器から離れた場所にいる場合にも、自動調理が終了したことを確実に知ることが可能で、より使い勝手の良いガス調理器を提供することができる。
【００１８】
また、ガス調理器が複数存在している場合において、複数のガス調理器のそれぞれに異なるＩＤコードが設定されており、リモコンが、無線通信において、通信データにＩＤコードを含めて制御部への送信を行い、制御部が、受信した通信データの中にＩＤコードが含まれるとき、通信データを当該制御部に対応するリモコンからの通信データとして受信するとともに、制御部が、無線通信において、通信データにＩＤコードを含めて無線通信によりリモコンへの送信を行うように構成し、リモコンが、受信した通信データの中にＩＤコードが含まれるとき、通信データを当該リモコンに対応するガス調理器の制御部からの通信データとして受信するように構成した場合、複数のガス調理器が設置された場合にも、制御部とリモコンとが、互いに対応する制御部やリモコン同士以外の制御部とリモコンとの間で送受信される通信データによって誤動作することが防止できる。
【００１９】
また、ガス調理器本体がＩＤコード転送手段を備え、ＩＤコードが制御部に格納され、制御部が、ＩＤコード転送手段によって、ＩＤコードをリモコンに転送するように構成した場合、メンテナンスなどにより、制御部またはリモコンを取り換える必要が生じたときに、制御部とリモコンを同じＩＤコードによって対応付けることが可能になり、有意義である。
【００２０】
また、ガス調理器本体が、交番磁界を発生させる交番磁界発生部を備え、リモコンが、電源としてのバッテリーと、交番磁界によって発生した交流電圧を直流電圧に変換して直流電圧を発生させる直流電圧発生部とを備え、バッテリーが、直流電圧発生部で発生した直流電圧により充電することができるように構成するとともに、交番磁界発生部に重畳されたＩＤコードが、交流電圧に重畳される形態でリモコンに転送されるように構成した場合、リモコンの電源となるバッテリーを充電するときや、制御部からリモコンにＩＤコードを転送するときに、電線による制御部とリモコンとの接続が不要であることから、接続不良や接点の接触不良などを引き起こすことがなく、信頼性が高く、使い勝手の良好なガス調理器を提供することができる。
【００２１】
また、ガス調理器本体に対して所定の操作を行ったときに、リモコンが音による報知を行うように構成した場合、リモコンをどこかに置き忘れたような場合などに、リモコンの音による報知によってリモコンの存在場所が判明するので、使い勝手の良好なガス調理器を提供することができる。
【図面の簡単な説明】
【００２２】
【図１】本発明の一実施形態にかかるガス調理器（ガスコンロ）本体の全体構成を示す斜視図である。
【図２Ａ】本発明の一実施形態にかかるガス調理器本体の、コンロ部の調理設定部を示す正面図である。
【図２Ｂ】本発明の一実施形態にかかるガス調理器本体の、グリル部の調理設定部を示す正面図である。
【図３Ａ】本発明の一実施形態にかかるガス調理器本体のコンロバーナ（ガスバーナ）およびグリルバーナ（ガスバーナ）へのガス供給を説明する図である。
【図３Ｂ】本発明の一実施形態にかかるガスコンロのガス弁ブロックを示す概略断面図である。
【図３Ｃ】本発明の一実施形態にかかるガスコンロのコンロバーナの断面図である。
【図４Ａ】本発明の一実施形態にかかる、コンロ用リモコンを示す図であって、（ａ）は正面図、（ｂ）は切欠き側面図である。
【図４Ｂ】本発明の一実施形態にかかる、グリル用リモコンを示す図であって、（ａ）は正面図、（ｂ）は切欠き側面図である。
【図５】本発明の一実施形態にかかる、コンロ用リモコンホルダ付近、グリル用リモコンホルダ付近の切欠き正面図である。
【図６】本発明の一実施形態にかかるガス調理器のコンロ用リモコンホルダにコンロ用リモコンを、グリル用リモコンホルダにグリル用リモコンを装着した状態の切欠き正面図である。
【図７】本発明の別実施形態にかかるガス調理器のコンロ用リモコンホルダにコンロ用リモコンを、グリル用リモコンホルダにグリル用リモコンを装着した状態の切欠き正面図である。
【発明を実施するための形態】
【００２３】
以下、本発明の実施形態を示して、その特徴とするところをさらに詳しく説明する。
【００２４】
［実施形態］
以下、本発明の一実施形態にかかるガス調理器について、添付図面を参照しつつ説明を行う。なお、この実施形態にかかるガス調理器は、コンロ部とグリル部を備えたビルトイン型のガスコンロである。
【００２５】
＜ガスコンロの基本構成＞
図１に示すように、この実施形態にかかるガス調理器（ガスコンロ）１は、ガス調理器本体Ｈと、その天面部を構成するトッププレート１１に複数の加熱部２が設けられている。この実施形態では図１に示すように、向かって左側および右側に加熱部２として高火力のコンロバーナ（ガスバーナ）３１を備えたコンロ部２ａが設けられている。トッププレート１１の上面には各コンロバーナ３１を中心にして五徳２１が設けられており、コンロバーナ３１と五徳２１と、点火装置２３および点火検知装置２４（図３Ａ、図３Ｃ参照）とにより、加熱部２としてのコンロ部２ａが構成されている。
【００２６】
なお、点火装置２３は、入力回路（高圧トランスの１次側巻き線を含む）が一つに対して出力回路（高圧トランスの２次側巻き線）が各バーナの数だけ備えられ、一つの入力回路への通電により各々の前記出力回路（高圧トランスの２次側巻き線）に高電圧が発生し、各バーナの全てに点火用放電のための高電圧が供給される。
【００２７】
各コンロ部２ａには、図３Ｃに示すように、五徳２１上に載置される調理容器を検知する容器検知手段２５と、調理容器の下面の温度を検知する温度センサ２６とが設けられている。
容器検知手段２５は、ガス調理器本体Ｈに固定される支持部２５ａと、支持部２５ａに上下方向に移動自在に支持される可動部２５ｂと、可動部２５ｂの上下位置を検知する検知スイッチ２５ｃとにより構成されている。
【００２８】
可動部２５ｂはばね等の付勢手段（図示せず）により上方に付勢され、その上端部は五徳２１よりも上方に突出するように構成されている。この状態で五徳２１上に調理容器が載置されると、可動部２５ｂの上端部が調理容器の下面に押し下げられ、可動部２５ｂの下動に伴い検知スイッチ２５ｃにより下動が検知され、後述する制御部１００に認識される。そして、可動部２５ｂの上端部には温度センサ２６が設けられており、調理容器が五徳２１上に載置されたときに温度センサ２６が調理容器の下面に当接して温度を検知し、検知された温度は制御部１００に認識されるように構成されている。
【００２９】
また、ガス調理器本体Ｈには、図１に示すように、加熱部２としてのグリル部２ｂが設けられている。グリル部２ｂは、図１に示すように、ガス調理器本体Ｈ内の中央部に形成されるグリル庫と、グリル庫内に設けられる加熱手段としてのグリルバーナ（図示せず）と、点火装置２３および点火検知装置２４とで構成され、グリル部２ｂの前端はガス調理器本体Ｈの前面部１２に開口していてグリル扉２８によって開閉自在に閉塞されるように構成されている。
【００３０】
点火検知装置２４は、コンロバーナ３１およびグリルバーナに設けられる熱電対から構成されており、点火されると火炎の熱により発生する熱起電力が制御部１００に認識される。
【００３１】
グリル扉２８の両側には、図１に示すように、グリル扉２８とともにガス調理器本体Ｈの前面部１２を構成する前面パネルＰ１、Ｐ２が設けられており、左側の前面パネルＰ１の上側には、左側のコンロバーナ３１を点火／消火するための点消火ボタン１４ａが設けられている。また、右側の前面パネルＰ２の上側の左側より、グリルバーナを点火／消火するための点消火ボタン１４ｂ、右側のコンロバーナ３１を点火／消火するための点消火ボタン１４ｃが設けられている。そして、これら点消火ボタン１４（１４ａ、１４ｂ、１４ｃ）が、加熱部２での加熱の開始／加熱の停止を手動で行うための加熱／停止手動操作部を構成している。
また前面部１２には、各加熱部２の加熱量を手動で調節するための加熱量手動操作部となる火力調節レバー１５（１５ａ、１５ｂ、１５ｃ）が、それぞれ各点消火ボタン（加熱／停止手動操作部））１４ａ、１４ｂ、１４ｃの上に設けられている。
【００３２】
ガス弁ブロック６は、図３Ｂに示すように、器具栓本体６０に、内部のガス流路６１と、ガス流路６１の上流端となる導入口６１ａおよび下流端となる導出口６１ｂとが設けられている。
【００３３】
内部のガス流路６１には、上流側より安全弁６２用の弁孔、メイン弁６３用の弁孔が設けられている。メイン弁６３用の弁孔の下流側は、大火用の流路６１ｃと小火用の流路６１ｄとが並列に設けられており、大火用の流路６１ｃに大火力／小火力切り換え用のラッチ式電磁弁ＬＢ１用の弁孔が設けられており、小火用の流路６１ｄにラッチ式電磁弁ＬＢ２用の弁孔が設けられている。
ラッチ式電磁弁ＬＢ１の弁孔の下流側と、ラッチ式電磁弁ＬＢ２の下流側に位置する小火用オリフィスｏｆ２の下流側で大火用の流路６１ｃと小火用の流路６１ｄとが合流するように構成されており、さらにその下流側には、火力調節レバー１５と連動する流量制御弁６５用の弁孔が設けられている。
【００３４】
因みに、上述した容器検知手段２５により調理容器が検知されていないときに点消火ボタン（加熱／停止手動操作部）１４を操作した場合には、制御部１００によりラッチ式電磁弁ＬＢ１およびラッチ式電磁弁ＬＢ２が閉止されて、加熱を開始しないようにする容器検知制御が行われる。これにより、五徳２１上に調理容器が載置されていない場合にはコンロバーナ３１に炎が形成されないようにすることができる。
【００３５】
また、ガス流路６１には、前記ラッチ式電磁弁ＬＢ１およびラッチ式電磁弁ＬＢ２を設けた部分をバイパスするバイパス流路ＢＰが設けられており、このバイパス流路ＢＰにバイパス用オリフィスｏｆ１が設けられている。バイパス用オリフィスｏｆ１は、ガス弁ブロック６を複数器種で共用するために設けられるもので、ガス弁ブロック６を他の機種への応用において使用するときには開口される場合があるが、この実施形態においては、バイパス用オリフィスｏｆ１は閉塞体（図示せず）により閉塞されている。
【００３６】
火力調節レバー１５を中火から大火の間の位置に設定しておいたときに、コンロバーナ３１の火力は、ラッチ式電磁弁ＬＢ１とラッチ式電磁弁ＬＢ２の開・閉の組み合わせに応じて、制御部１００により、表１に示されているような態様で調整制御される。
【００３７】
【表１】
2018194261.tif 000003
【００３８】
なお、ラッチ式電磁弁ＬＢ１、ＬＢ２は、開弁用の極性のパルス電流の通電により開放状態に移行し、その後は通電を停止した後にも開放状態を維持し、閉弁用の極性（開弁用とは逆極性）のパルス電流の通電により閉止状態に移行し、その後は通電を停止した後にも閉止状態を維持する。このとき電流のパルス幅は２００〜３００ｍ秒に設定されており、コンロの火力を種々の状態に維持する場合にも省電力であることから、機器の電源として乾電池が用いられる場合に特に好適に用いられる。
【００３９】
流量制御弁６５用の弁孔の下流側は、コンロバーナ３１にガスを供給するための導出口６１ｂに至る。器具栓本体６０には、スライダ６６が前後方向に移動自在に取り付けてあり、スライダ６６は前端面が点消火ボタン（加熱／停止手動操作部）１４に組み込まれたチャイルドロック用スライド部（図示せず）により後方に押圧されることで後退するように構成されている。
【００４０】
チャイルドロック用スライド部が内部に組み込まれた点消火ボタン１４は、前後動自在に設けられるもので、前記点消火ボタン１４の指で押される部分よりも上側の部分がコンロ本体側に枢支されて指で押される部分が前後動し、スライダ６６の前端面を後方に押圧する。スライダ６６には、例えば既存のハート型カム等からなる前位置と後位置の切り換え機構（図示せず）が設けられており、前記点消火ボタン１４を押し操作する毎に、スライダ６６が後位置から前進して前位置に位置したり、前位置から後退して後位置に位置したりして、前位置と後位置とが切り換わって保持されるように構成されている。
【００４１】
また、スライダ６６の進退に伴って進退するバルブロッド６７が設けられている。バルブロッド６７の先端側はガス流路６１内に挿入され、その先端部は後方すなわち下流側より上流側に向けて、メイン弁６３用の弁孔と安全弁６２用の弁孔とに挿通されている。
【００４２】
バルブロッド６７は、スライダ６６が前位置から後位置に切り換わる際、一旦後位置よりも後方の最後位置に後退してから後位置にまで前進するが、この最後位置に移動したときに、安全弁６２用の弁孔を上流側より閉止している安全弁６２の弁体を上流側に移動させて、安全弁６２用の弁孔を開放する。
【００４３】
なお、このような手動点火／消火操作部の構成は周知であるので詳細な説明は省略する。
【００４４】
安全弁６２は電磁弁からなり、弁体が前方すなわち下流側に前進することで安全弁６２用の弁孔を後方より閉止し、弁体が後方すなわち上流側に後退することで安全弁６２用の弁孔を開放する。
【００４５】
安全弁６２は、点火検知装置２４により火炎が検知されている場合にのみ制御部１００により開放状態が維持され、火炎が検知されなくなると制御部１００による開放状態の維持が停止して閉止される。これにより、煮こぼれや風により立ち消えが起こって点火検知装置２４の火炎が検知されなくなった場合に、燃料ガスの流出が防止される。また、温度センサ２６により検知された調理容器の下面の温度が所定の温度（例えば２５０℃）に達すると、空焚きや焦げ付き等の異常が発生していると判定して、安全弁６２を閉止する。このように、安全弁６２、点火検知装置２４、温度センサ２６により異常検知手段が構成されている。
【００４６】
バルブロッド６７の途中には、メイン弁６３用の弁孔を開閉するメイン弁体が設けられている。そして、スライダ６６が前位置に位置しているときにはメイン弁体がメイン弁６３用の弁孔を後方より閉止し、スライダ６６が後位置に位置しているときにはメイン弁体がメイン弁６３用の弁孔より後方に位置してメイン弁６３用の弁孔を開放する。
【００４７】
流量制御弁６５用の弁孔は、火力調整用のニードル６５ａの前後方向の移動により開度が自在に調節される。ニードル６５ａは、火力調節レバー１５を操作することで、開度の調節がなされ、火力調節レバー１５が右に行く程、燃料ガスの供給量が多くなるように調節される。
また、点消火ボタン（加熱／停止手動操作部）１４またはスライダ６６の位置によりＯＮ／ＯＦＦが切り換わる器具栓スイッチ（図示せず）が設けられている。器具栓スイッチは、点消火ボタン１４（またはスライダ６６）が前位置に位置しているときにはＯＦＦとなり、後位置（最後位置も含む）に位置しているときにＯＮとなる。
【００４８】
コンロバーナ３１、グリルバーナの点火を行うには、点消火ボタン（加熱／停止手動操作部）１４を押し操作して、スライダ６６を前位置から後位置に後退させる。スライダ６６とともに後退したバルブロッド６７により、安全弁６２が開放されるとともにメイン弁６３が開放され、燃料ガスがコンロバーナ３１、グリルバーナに供給される。
また、スライダ６６が後退することにより器具栓スイッチがＯＮとなり、制御部１００への給電がＯＮとなって制御部１００が動作を開始する。
【００４９】
点消火ボタン（加熱／停止手動操作部）１４が押し操作されて、加熱が開始されると、火力調節レバー１５を操作することで、所望の火力が得られる。なお、左側のコンロバーナ３１を備えたコンロ部２ａの火力調節レバー１５は、該コンロ部２ａの操作部を操作して点火を行うとき、操作部の操作と連動して火力が中火力側に移動するように構成されており、点火時には中程度の火力となるように構成されている。
【００５０】
スライダ６６を前位置にすると、メイン弁６３が閉止して消火し、器具栓スイッチがＯＦＦになり、安全弁６２が閉止するとともに電源保持信号の出力が停止して制御部１００への給電が終了する。
【００５１】
＜特徴的構成（コンロの自動調理）＞
この実施形態にかかるガス調理器（ガスコンロ）１は、自動でコンロ調理を行うことができるように構成されているが、自動調理を行うための調理条件の全てを設定表示する調理設定部が、ガス調理器本体Ｈに設けられているのではなく、後述する、リモコン、すなわち、ガス調理器本体Ｈの制御部１００との間で通信データの送受信のための無線通信を行うコンロ用リモコン７Ａに、調理条件の全てを設定表示する調理設定部２００Ｂが設けられており、ガス調理器本体Ｈには、コンロ用の限定的調理設定部２００Ａが配設されている。
【００５２】
すなわち、詳しくは後述するが、
（ａ）ガス調理器本体Ｈには、コンロバーナによる調理（コンロ調理）の条件のうち所定の条件のみを設定し、表示する、ガス調理器本体側のコンロ用の限定的調理設定部２００Ａが配設され、
（ｂ）コンロ用リモコン７Ａには、コンロ調理における調理条件のすべての条件を設定し、表示する、リモコン側の調理設定部２００Ｂが配設されている。
【００５３】
ガス調理器本体側のコンロ用の限定的調理設定部２００Ａは、ガス調理器（ガスコンロ）１の左側の前面パネルＰ１の下側に配設されている（図１参照）。
【００５４】
そして、ガス調理器本体Ｈのコンロ用の限定的調理設定部２００Ａ（図２Ａ参照）には、設定スイッチ１６と、設定表示ランプ１７が配設されている。詳しくは、コンロ用の限定的調理設定部２００Ａには、左コンロ高温・鍋なし設定スイッチ１６ａと、右コンロ高温・鍋なし設定スイッチ１６ｃが配設されているとともに、左コンロ高温・鍋なし設定表示Ｌランプ（ＬＥＤ）１７ａと、右コンロ高温・鍋なし設定表示Ｌランプ（ＬＥＤ）１７ｃとが配設されている。
【００５５】
因みに、この実施形態のガス調理器（ガスコンロ）１は、通常は、コンロバーナ３１の中央に設けられた貫通口を上下に貫通するように設けられた温度センサ２６（図１）により検出される調理容器の温度が２７０℃以上になるとコンロバーナ３１を消火するように構成され、また、温度センサ２６が調理容器により押し下げられることで調理容器の五徳２１への載置を検出するように構成されている。また、調理容器の五徳２１への載置を検出しないときには、点消火ボタン（加熱／停止手動操作部）１４が押し操作されてもコンロバーナ３１が点火しないように構成されている。
【００５６】
しかし、フライパンによる炒めもの調理を行う場合、このフライパンの底面温度が２７０℃以上になったときに、コンロバーナ３１が消火すると不便であることから、この実施形態のガス調理器（ガスコンロ）１は、左コンロ高温・鍋なし設定スイッチ（図２Ａでは『左コンロ高温』と表記）１６ａを３秒以上の長押し操作することで、左のコンロバーナ側の温度センサ２６の検出温度が２９０℃に上昇するまで左のコンロバーナ３１は消火しないように構成され、右コンロ高温・鍋なし設定スイッチ（（図２Ａでは『右コンロ高温』と表記））１６ｃを３秒以上の長押し操作することで、右のコンロバーナ側の温度センサ２６の検出温度が２９０℃に上昇するまで右のコンロバーナ３１は消火しないように構成されている。
【００５７】
また、調理容器を用いない調理、例えば干し海苔をあぶって焼き海苔を作る調理を行う場合、コンロバーナ３１が点火しないと困るので、左コンロ高温・鍋なし設定スイッチ１６ａを３秒以上の長押し操作することで、左のコンロバーナ側の五徳２１に調理容器が載置されないときにも点消火ボタン（加熱／停止手動操作部）１４ａを押し操作することで左のコンロバーナ３１が点火するように構成され、右コンロ高温・鍋なし設定スイッチ１６ｃを３秒以上の長押し操作することで、右のコンロバーナ側の五徳２１に調理容器が載置されないときにも点消火ボタン（加熱／停止手動操作部）１４ｃを押し操作することで右のコンロバーナ３１が点火するように構成されている。
【００５８】
上述のように、ガス調理器本体Ｈのコンロ用の限定的調理設定部２００Ａには、設定スイッチ１６（左コンロ高温・鍋なし設定スイッチ１６ａ、および、右コンロ高温・鍋なし設定スイッチ１６ｃ）が配設されているとともに、設定表示ランプ１７（左コンロ高温・鍋なし設定表示Ｌランプ（ＬＥＤ）１７ａ、および、右コンロ高温・鍋なし設定表示Ｌランプ（ＬＥＤ）１７ｃ）が配設されているため、フライパンによる炒めもの調理を行う場合に、フライパンの底面温度が２７０℃以上になった場合にも、消火しないように設定して、フライパンによる炒め物を容易に行うことが可能で、かつ、干し海苔をあぶって焼き海苔を作る調理を行うことができる。
【００５９】
また、コンロ用リモコン７Ａは、制御部１００との間で後述する通信データの通信を行うためのコンロ用リモコン用無線通信部５０Ｓと、報知部５１を備えている。
報知部５１としては、例えば、ブザー音や音声などによって報知を行うもの、ＬＥＤランプなどの光によって報知を行うものなど、種々のものを用いることができる。なお、この実施形態では、ブザー音による報知を行うように構成されている。
【００６０】
なお、ガス調理器（ガスコンロ）１の右側の前面パネルの右下の右側には、マイクロコンピュータからなる制御部１００の電源となる電池が収容される電池ケース１３（図１）が設けられている。
【００６１】
一方、図４Ａに示すように、コンロ用リモコン７Ａが備えるコンロ用の調理設定部２００Ｂは、揚げもの、湯わかし、炊飯の自動調理のメニュー（オートメニュー）を設定するための一組のオートメニュー設定部１７１およびオートメニュー表示部１７２と、調理時間を設定するためのタイマ入力部１７３およびタイマ表示部１７４を備えている。
【００６２】
オートメニュー設定部１７１には、揚げものスイッチ１７１ａと、湯わかしスイッチ１７１ｂと、炊飯スイッチ１７１ｃとが設けられている。
揚げものモードは、コンロバーナ３１の点火後、使用者により設定された温度に達するようにコンロバーナ３１の火力を自動調節する自動調理モードである。
揚げものスイッチ１７１ａは、何回押すかで２００℃、１８０℃、１６０℃といった複数種類の揚げものの調理の中から目的とする温度の揚げもの調理が設定できるとともに、揚げもの表示部１７２ａに前記設定が表示されるように構成されている。
【００６３】
また、湯わかしモードや炊飯モードは、コンロバーナ３１の点火後、予め設定された燃焼条件で燃焼させ、湯わかしや炊飯の完了が予測される時点で自動的にコンロバーナ３１を消火する自動調理モードである。
【００６４】
湯わかしスイッチ１７１ｂは、何回押すかで自動消火、５分保温といった、湯わかし後にすぐ消火するか、あるいは一定時間保温するかというような湯わかしの態様を選択して設定することができるように構成されている。また、湯わかし表示部１７２ｂには、前記設定が表示されるように構成されている。
【００６５】
また、炊飯スイッチ１７１ｃは、何回押すかにより、ごはん、おかゆといった複数種類の炊飯調理モードの中から目的とする炊飯調理モードを設定することができるように構成されている。また、炊飯表示部１７２ｃには、前記設定が表示されるように構成されている。
【００６６】
揚げものモードを選択して、制御部１００によって揚げものモードが実行される場合を一例として、上述のラッチ式電磁弁ＬＢ１について詳しく説明する。
【００６７】
揚げものスイッチ１７１ａ（図４Ａ）を押し操作し、揚げものモードを選択してコンロバーナ３１に点火すると、制御部１００によって揚げものモードが実行され、制御部１００は、温度センサ２６により検出される調理容器の温度を設定された温度（２００℃、１８０℃、１６０℃の何れか）に維持すべく、ラッチ式電磁弁ＬＢ１を開閉し、コンロバーナ３１の火力を大火力と小火力とに切り換える。
【００６８】
詳述すると、温度センサ２６（図１）により検出される調理容器の温度の値が設定された温度より大きいときは、ラッチ式電磁弁ＬＢ１を閉弁して、図３に示す小火用オリフィスｏｆ２を備えた小火用流路６１ｄのみからコンロバーナ３１にガスが供給されて、コンロバーナ３１の火力が小火力になり、また、温度センサ２６により検出される調理容器の温度が設定された温度より小さいときはラッチ式電磁弁ＬＢ１を開弁して、図３に示す小火用オリフィスｏｆ２を備えた小火用流路６１ｄとラッチ式電磁弁ＬＢ１の両方の流路からコンロバーナ３１にガスが供給されて、コンロバーナ３１の火力が大火力になるように構成されている。
【００６９】
上述のように、この実施形態にかかるガス調理器（ガスコンロ）１においては、コンロバーナ３１によって自動調理を行うことができるように構成されており、コンロバーナ３１による自動調理には、制御部１００が、自動的にコンロバーナ３１の燃焼を停止する調理モードが含まれる。
【００７０】
＜特徴的構成（グリルの自動調理）＞
また、この実施形態にかかるガス調理器（ガスコンロ）１は、自動でグリル調理を行うことができるように構成されているが、自動調理を行うための調理条件の全てを設定表示する調理設定部が、ガス調理器本体Ｈに設けられているのではなく、後述する、グリル用リモコン（ガス調理器本体Ｈの制御部１００との間で通信データの送受信のための無線通信を行うグリル用リモコン）７Ｂに、グリル調理の条件の全てを設定し、表示する調理設定部３００Ｂが設けられており、ガス調理器本体Ｈには、グリル用の限定的調理設定部３００Ａが配設されている。
【００７１】
すなわち、詳しくは後述するが、
（ａ）ガス調理器本体Ｈには、グリル調理の条件のうち所定の条件のみを設定し、表示する、ガス調理器本体側のグリル用の限定的調理設定部３００Ａが配設され、
（ｂ）グリル用リモコン７Ｂには、グリル調理におけるすべての条件を設定し、表示する、リモコン側のグリル用の調理設定部３００Ｂが配設されている。
そして、ガス調理器本体側のグリル用の限定的調理設定部３００Ａは、ガス調理器１の右側の前面パネルの右下の左側に設けられている（図１参照）。
【００７２】
そして、図２Ｂのように、ガス調理器本体Ｈに設けられたグリル用の限定的調理設定部３００Ａは、上下のグリルバーナ（図示せず）の火力を切り換えるための火力切り換えスイッチ９３ｃ、および、火力表示部９３ａのみを備えている。
【００７３】
この実施形態にかかるガス調理器（ガスコンロ）１においては、グリル用の調理設定部３００Ａを用いて、グリル調理における限定的な条件を設定する調理を行うことができる。
【００７４】
一方、グリル用リモコン７Ｂには、グリル２ｂによって自動調理を行うための調理条件の全てを設定し、表示するグリル用の調理設定入力部３００Ｂが配設されている（図４Ｂ参照）。そして、グリル用の調理設定入力部３００Ｂは、グリル２ｂによる調理時間（焼成時間）を設定するためのタイマスイッチ（タイマ設定入力部）１９３ｂ、上火、下火の火力を切り換えるための火力切り換えスイッチ１９３ｃ、焼成するメニューを選んで該当する焼成物に対応した焼成制御を選択するためのメニュースイッチ１９３ｄ、焼き加減を調整するための焼き加減スイッチ１９３ｅ、上記タイマスイッチ（タイマ設定入力部）１９３ｂ、火力切り換えスイッチ１９３ｃ、メニュースイッチ１９３ｄ、焼き加減スイッチ１９３ｅなどを操作して設定した各入力を取り消すための取消しスイッチ１９３ｆなどを備えている。
【００７５】
また、グリル用リモコン７Ｂは、消火スイッチ１９３ａ（図４Ｂ）を備え、使用者が消火スイッチ１９３ａを押し操作することで、グリルバーナを消火することができるように構成されている。
【００７６】
また、グリル用リモコン７Ｂのグリル用の調理設定入力部３００Ｂは、タイマスイッチ（タイマ設定入力部）１９３ｂにより設定された調理時間を表示する表示部１１２０を備えている。
【００７７】
さらに、グリル用リモコン７Ｂは、図４Ｂに示すように、制御部１００との間で後述する通信データの通信を行うためのグリル用リモコン用無線通信部１５０Ｓと、報知部１５１を備えている。
報知部１５１としては、例えば、ブザー音や音声などによって報知を行うもの、ＬＥＤランプなどの光によって報知を行うものなど、種々のものを用いることができる。なお、この実施形態では、ブザー音による報知を行うように構成されている。
【００７８】
また、この実施形態にかかるガス調理器（ガスコンロ）１においては、コンロバーナ３１によって自動調理を行い、制御部１００が、自動的にコンロバーナ３１の燃焼を停止したとき、制御部１００は、点消火ボタン（加熱／停止手動操作部）１４ａや点消火ボタン１４ｃを消火位置に戻すよう促す報知を行うように構成されている。この報知としては、「ピッピッピッ」というブザーによる報知を５分間隔で繰り返すように構成されている
【００７９】
また、グリル２ｂにおいてグリルバーナ（図示せず）によって自動調理を行い、制御部１００が、自動的にグリルバーナの燃焼を停止したとき、制御部１００は、点消火ボタン（加熱／停止手動操作部）１４ｂを消火位置に戻すよう促す報知を行うように構成されている。この報知も、「ピッピッピッ」というブザーによる報知を５分間隔で繰り返すように構成されている。
【００８０】
＜他の特徴的構成＞
このガス調理器（ガスコンロ）１が備えるコンロ用リモコン７Ａ（図４Ａ参照）は、上述のように、無線通信部５０Ｓを備えており、ガス調理器本体Ｈが備える制御部１００との間で、後述する通信データの通信を行うための無線通信を行うように構成されている。
【００８１】
そして、コンロ用リモコン７Ａは上述のように、
（ａ）温度センサ２６により検出される調理容器の温度を設定された温度（２００℃、１８０℃、１６０℃のいずれか）に維持する、コンロバーナ３１による自動温度制御、
（ｂ）コンロバーナ３１の点火後、予め設定された燃焼条件で燃焼させ、湯わかしや炊飯の完了が予測される時点で自動的にコンロバーナ３１を消火する湯わかしモードや炊飯モード、
（ｃ）タイマ入力部１７３で入力し、設定した設定タイマ時間の燃焼が終了した時点で自動的にコンロバーナ３１を消火するタイマ加熱
など、コンロバーナ３１による自動調理にかかる設定を行うとともに、自動調理に係る表示を行う、リモコン側の調理設定部２００Ｂを備えている。
【００８２】
上記のコンロ用リモコン７Ａは、コンロを用いた自動調理が終了して、自動的にコンロバーナ３１を消火したときに、コンロ用リモコン７Ａが備える報知部５１のブザー音により、自動的にコンロバーナ３１を消火した旨の報知を行う。報知は音声によって行ってもよい。
【００８３】
また、グリル用リモコン７Ｂは、上述のように、無線通信部１５０Ｓを備えており、グリルを用いた自動調理が終了して、制御部１００が、自動的にグリルバーナの燃焼を停止したとき、制御部１００からの無線通信による指令により、グリル用リモコン７Ｂが備える報知部１５１のブザー音により、自動的にグリルバーナを消火した旨の報知を行う。報知は音声によって行ってもよい。
【００８４】
コンロ用リモコン７Ａによる、自動的にコンロバーナ３１を消火させた旨の報知の後、使用者は、ガス調理器本体Ｈが備える点消火ボタン１４ａ、点消火ボタン１４ｃを消火位置に戻す操作を行うことになる。そして、ガス調理器本体Ｈが備える制御部１００は、点消火ボタン１４ａ、点消火ボタン１４ｃの消火位置への戻し操作を検出すると、点消火ボタン１４ａ、点消火ボタン１４ｃを消火位置に戻すように促す報知を終了する。
【００８５】
また、グリル用リモコン７Ｂによる自動的にグリルバーナを消火させた旨の報知の後、使用者は、ガス調理器本体Ｈが備える点消火ボタン１４ｂを消火位置に戻す操作を行うことになる。そして、ガス調理器本体Ｈが備える制御部１００は、点消火ボタン１４ｂの消火位置への戻し操作を検出すると、点消火ボタン１４ｂを消火位置に戻すように促す報知を終了する。
【００８６】
すなわち、ガス調理器本体Ｈが備える制御部１００とコンロ用リモコン７Ａとの通信は、上述のように、ガス調理器本体Ｈが備える無線通信部２００Ｓとコンロ用リモコン７Ａが備える無線通信部５０Ｓを介して行われ、ガス調理器本体Ｈが備える制御部１００とグリル用リモコン７Ｂとの通信は、ガス調理器本体Ｈが備える無線通信部２００Ｓとグリル用リモコン７Ｂが備える通信部１５０Ｓを介して行われる。
【００８７】
また、グリル用リモコン７Ｂは、消火スイッチ１９３ａ（図４Ｂ）を備え、使用者が消火スイッチ１９３ａを押し操作することで、グリルバーナを消火することができるように構成されている。
【００８８】
なお、グリル用リモコン７Ｂに備える消火スイッチ１９３ａによってグリルバーナを消火させた場合、ガス調理器本体Ｈが備える制御部１００は、点消火ボタン１４ｂを消火位置に戻すよう促す報知を行うように構成されている。この報知も、「ピッピッピッ」というブザーによる報知を５分間隔で繰り返すように構成されている。
【００８９】
したがって、その後使用者は、ガス調理器本体Ｈの点消火ボタン１４ｂを消火位置に戻す操作を行うことになる。そして、ガス調理器本体Ｈが備える制御部１００は、点消火ボタン１４ｂの消火位置への戻し操作を検出すると、点消火ボタン１４ｂを消火位置に戻すよう促す報知を終了する。
【００９０】
本願によるガス調理器（ガスコンロ）１は以上のように構成されるので、以下のような作用効果を奏する。
コンロ用の限定的調理設定部２００Ａには、左コンロ高温・鍋なし設定スイッチ１６ａ、右コンロ高温・鍋なし設定スイッチ１６ｃ、左コンロ高温・鍋なし設定表示Ｌランプ（ＬＥＤ）１７ａ、および、右コンロ高温・鍋なし設定表示Ｌランプ（ＬＥＤ）１７ｃしか備えていないので、調理設定部２００Ａが、数多くの調理条件を設定するための操作部や、その表示を行うための表示部を有している場合に、調理設定部の操作が煩わしいと感じる使用者や、自動調理機能を必要としない使用者にとっては、シンプルで使いやすいガス調理器を提供することができる。
【００９１】
また、構成がシンプルで、ガス調理器本体Ｈの小型化および簡素化を図ることが可能になり、コストの低減を図ることが可能になる。
しかも、自動調理機能を必要とする使用者にとっては、コンロ用リモコン７Ａを用いて条件を設定することで、種々の自動調理を行うことができ使い勝手の良いガス調理器を提供することができる。
【００９２】
また、グリル用の限定的調理設定部３００Ａには、火力切り換えスイッチ９３ｃ、および、火力表示部９３ａしか備えていないので、調理設定部３００Ａが、数多くの調理条件を設定するための操作部や、その表示を行うための表示部を有している場合に、調理設定部の操作が煩わしいと感じる使用者や、自動調理機能を必要としない使用者にとっては、シンプルで使いやすいガス調理器を提供することができる。
【００９３】
また、構成がシンプルで、ガス調理器本体Ｈの小型化および簡素化を図ることが可能になり、コストの低減を図ることができる。
しかも、自動調理機能を必要とする使用者にとっては、グリル用リモコン７Ｂを用いて条件を設定することで、種々の自動調理を行うことができ使い勝手の良いガス調理器を提供することができる。
【００９４】
また、使用者がガス調理器本体Ｈから離れた場所にいる場合にも、使用者が、自動調理が終了した際の報知（加熱／停止手動操作部１４を消火位置に戻すことを促す報知）に気付きやすいため、点消火ボタン１４ａや点消火ボタン１４ｂや点消火ボタン１４ｃを消火位置に戻すよう促す報知が無駄に継続することのないガス調理器を提供することが可能になる。
【００９５】
また、この実施形態では、製造される複数のガス調理器本体Ｈに対して、それぞれ異なるＩＤコードが設定されており、複数のガス調理器本体Ｈのそれぞれに対応するコンロ用リモコン７Ａ、グリル用リモコン７Ｂにも、複数のガス調理器本体Ｈのそれぞれに設定されたＩＤコードに対応するＩＤコード（ガス調理器本体Ｈに設定されたＩＤコードと同じＩＤコード）が設定されている。
【００９６】
そして、ガス調理器本体Ｈが備える制御部１００が、コンロ用リモコン７Ａ、グリル用リモコン７Ｂとの無線通信において、通信データにこのＩＤコードを含めて送信するように構成されている。
【００９７】
そして、コンロ用リモコン７Ａ、グリル用リモコン７Ｂが、受信した通信データに当該リモコン７Ａ、７Ｂに対応するＩＤコードが含まれるとき、通信データを当該リモコン７Ａ、７Ｂに対応する制御部１００からの通信データとして受信するように構成されている。
【００９８】
この実施形態にかかるガス調理器（ガスコンロ）１は上述のように構成されているので、複数のガス調理器１が設置されている場合にも、コンロ用リモコン７Ａ、グリル用リモコン７Ｂが、それらに対応するガス調理器本体Ｈの制御部１００以外の制御部と無線通信を行うことによる誤動作（すなわち、対応するガス調理器本体Ｈの制御部１００以外の制御部から送信される通信データによって誤動作）することを防止できる。
【００９９】
また、この実施形態にかかるガス調理器１においては、ＩＤコードがガス調理器本体Ｈの制御部１００に格納されているとともに、ガス調理器本体Ｈには、ＩＤコードを制御部１００からコンロ用リモコン７Ａに転送するためのＩＤコード転送手段１１０Ａ、グリル用リモコン７Ｂに転送するためのＩＤコード転送手段１１０Ｂが配設されている（図５、図６、図７）。
すなわち、制御部１００が、ＩＤコード転送手段１１０Ａ、１１０Ｂによって、ＩＤコードをコンロ用リモコン７Ａ、グリル用リモコン７Ｂに転送することができるように構成されている。
【０１００】
この実施形態のガス調理器１はこのように構成されているので、メンテナンスなどにより、ガス調理器本体Ｈの制御部１００、あるいは、コンロ用リモコン７Ａ、グリル用リモコン７Ｂを取り換えることが必要になった場合に、制御部１００とコンロ用リモコン７Ａ、グリル用リモコン７Ｂを同じＩＤコードによって対応付けることができる。
【０１０１】
＜リモコンの電源について＞
次に、コンロ用リモコン７Ａおよびグリル用リモコン７Ｂの電源について説明する。
【０１０２】
この実施形態にかかるガス調理器本体Ｈが備えるコンロ用リモコン７Ａ、グリル用リモコン７Ｂは、以下に説明するようなバッテリー（図示せず）を電源としている。
【０１０３】
また、ガス調理器本体Ｈは、図５、図６に示すように、コンロ用リモコン７Ａを収容、保持するリモコンホルダ７５Ａと、グリル用リモコン７Ｂを収容、保持するリモコンホルダ７５Ｂとを備えているとともに、交番磁界を発生させる交番磁界発生部（一次巻線）７０Ａ、７０Ｂを備えている。
【０１０４】
なお、交番磁界発生部（一次巻線）７０Ａは、コンロ用リモコン７Ａを収容、保持するリモコンホルダ７５Ａに近接して配設されており、交番磁界発生部（一次巻線）７０Ｂは、グリル用リモコンホルダ７５Ｂに近接して配設されている。
【０１０５】
また、コンロ用リモコン７Ａには二次巻線８０Ａが設けられており、グリル用リモコン７Ｂには二次巻線８０Ｂが設けられている。
【０１０６】
そして、コンロ用リモコン７Ａがリモコンホルダ７５Ａ内の所定位置に収容、保持され、グリル用リモコン７Ｂがリモコンホルダ７５Ｂ内の所定位置に収容、保持された状態において、コンロ用リモコン７Ａが備える二次巻線８０Ａが一次巻線７０Ａにより発生した交番磁界によって交流電圧を発生させるとともに、グリル用リモコン７Ｂが備える二次巻線８０Ｂが、一次巻線７０Ｂにより発生した交番磁界によって交流電圧を発生させるように構成されている。
【０１０７】
そして、コンロ用リモコン７Ａ、グリル用リモコン７Ｂは、二次巻線８０Ａ、８０Ｂに発生した交流電圧を直流電圧に変換して直流電圧を発生させる直流電圧発生部と、直流電圧発生部で発生した直流により充電されるバッテリー（図示せず）を備えている。
【０１０８】
このように構成することにより、コンロ用リモコン７Ａ、グリル用リモコン７Ｂが備えるバッテリーを、上述の直流電圧発生部で発生した直流によって充電することが可能になる。
【０１０９】
＜ＩＤコード転送手段について＞
上述のように、この実施形態にかかるガス調理器１は、制御部１００に格納されているＩＤコードをコンロ用リモコン７Ａに転送するＩＤコード転送手段１１０Ａ、グリル用リモコン７Ｂに転送するＩＤコード転送手段１１０Ｂを備えている。
【０１１０】
そして、この実施形態では、交番磁界発生部（一次巻線）７０Ａ、７０Ｂ、コンロ用リモコン７Ａ、グリル用リモコン７Ｂが備える二次巻線８０Ａ、８０Ｂなどから、上述のＩＤコード転送手段１１０Ａ、１１０Ｂが構成されている。
【０１１１】
そして、この実施形態にかかるガス調理器（ガスコンロ）１においては、
（ａ）交番磁界発生部（一次巻線）７０Ａに重畳されたＩＤコードが、コンロ用リモコン７Ａにおいて、二次巻線８０Ａに発生した交流電圧に重畳される形態で、ガス調理器本体Ｈの制御部１００からコンロ用リモコン７Ａに転送され、
（ｂ）交番磁界発生部（一次巻線）７０Ｂに重畳されたＩＤコードが、グリル用リモコン７Ｂにおいて、二次巻線８０Ｂに発生した交流電圧に重畳される形態で、ガス調理器本体Ｈの制御部１００からグリル用リモコン７Ｂに転送されるように構成されている。
【０１１２】
このように、制御部１００に格納されているＩＤコードが、コンロ用リモコン７Ａ、グリル用リモコン７Ｂにおいて、それぞれの二次巻線８０Ａ、８０Ｂに発生した交流電圧に重畳される形態で、ガス調理器本体Ｈの制御部１００からコンロ用リモコン７Ａ、グリル用リモコン７Ｂに転送されるように構成した場合、コンロ用リモコン７Ａ、グリル用リモコン７Ｂの電源となるバッテリーを充電する際や、ガス調理器本体Ｈの制御部１００からコンロ用リモコン７Ａ、グリル用リモコン７ＢにＩＤコードを転送するときに、電線による制御部１００とコンロ用リモコン７Ａ、グリル用リモコン７Ｂとの接続が不要になり、構成を簡略化することが可能になるとともに、接続不良や接点の接触不良などを引き起こすことがなく、信頼性が高く、使い勝手の良好なガス調理器（ガスコンロ）を実現することが可能になる。
【０１１３】
なお、本発明において、制御部１００とコンロ用リモコン７Ａおよびグリル用リモコン７Ｂとの間で行われる無線通信の方式としては、周知の種々の通信方式が採用可能であり、詳細な説明は省略する。
【０１１４】
［別実施形態］
また、本発明のガス調理器（ガスコンロ）においては、図７に示すように、コンロ用リモコン７Ａと、グリル用リモコン７Ｂのそれぞれに、磁石９０（９０ａ、９０ｂ）を配設し、コンロ用リモコン７Ａと、グリル用リモコン７Ｂがリモコンホルダ７５Ａ、７５Ｂ内において位置ずれすることなく、確実に所定の位置に保持されるように構成することができる。
【０１１５】
このように構成することで、コンロ用リモコン７Ａと、グリル用リモコン７Ｂの電源となるバッテリーの充電をより確実に行うことが可能になり、ＩＤコードの送受信などの動作を適正に行わせることが可能な、信頼性の高いガス調理器を提供できるようになる。
【０１１６】
なお、この場合、磁石９０（９０ａ、９０ｂ）を、二次巻線８０Ａ、８０Ｂから離隔することで、一次巻線７０Ａ、７０Ｂと、二次巻線８０Ａ、８０Ｂとの電磁的な結合に悪影響を及ぼすことを回避することができる。
【０１１７】
また、本発明のガス調理器においては、ガス調理器本体Ｈに対して「所定の操作」を行った時点で、コンロ用リモコン７Ａと、グリル用リモコン７Ｂが音による報知を行うように構成することができる。
【０１１８】
なお、上記「所定の操作」としては、ガスバーナによる加熱開始のための「点消火スイッチ１４ａ、点消火スイッチ１４ｃの操作、グリルバーナを点火／消火するための点消火ボタン１４ｂの操作、この報知専用に設けた報知用スイッチ（図示せず）の操作、などが例示されるが、上記「所定の操作」に特別の制約はない。
【０１１９】
上述のように、ガス調理器本体Ｈに対して「所定の操作」を行った時点で、コンロ用リモコン７Ａ、グリル用リモコン７Ｂが音による報知を行うように構成した場合、コンロ用リモコン７Ａ、グリル用リモコン７Ｂをどこかに置き忘れた場合などに、ガス調理器本体Ｈに対して所定の操作を行うことで、コンロ用リモコン７Ａ、グリル用リモコン７Ｂに音による報知を行わせてコンロ用リモコン７Ａ、グリル用リモコン７Ｂの存在場所を知らせることができるので、使い勝手を向上させることができる。
【０１２０】
なお、上記実施形態では、コンロ用リモコン７Ａと、グリル用リモコン７Ｂの２つのリモコンを備えた構成としているが、一つのリモコンが、コンロ用の調理条件を設定し、表示する調理設定部と、グリル用の調理条件を設定し、表示する調理設定部とを備えるように構成すること、すなわち、１つのリモコンが、コンロ用リモコン７Ａと、グリル用リモコン７Ｂを兼ねるように構成することも可能である。
【０１２１】
また、上記実施形態では、ガス調理器本体Ｈが、コンロ用の限定的調理設定部２００Ａと、グリル用の限定的調理設定部３００Ａを備えている場合について説明したが、ガス調理器本体Ｈが、コンロ用の限定的調理設定部２００Ａと、グリル用の限定的調理設定部３００Ａを備えておらず、リモコン側のコンロ用の調理設定部２００Ｂ、リモコン側のグリル用の調理設定部３００Ｂによってのみ調理条件の設定などが行われるように構成してもよい。
【０１２２】
なお、上記実施形態では、ガス調理器として、グリルを備えたガスコンロを示したが、グリルを備えていないガスコンロにも本発明を適用することが可能である。
【０１２３】
さらに、本発明は、ビルトイン型ではなく卓上設置型のテーブルコンロにも適用することが可能である。
【０１２４】
また、本発明は、ガスコンロを備えていないグリルにも適用することが可能である。
【０１２５】
本発明は、さらにその他の点においても上記実施形態に限定されるものではなく、本発明の範囲内において種々の変形を加えることが可能である。
【符号の説明】
【０１２６】
１        ガスコンロ
２        加熱部
２ａ      コンロ部
２ｂ      グリル部
６        ガス弁ブロック（ガス量調節部）
７Ａ      コンロ用リモコン
７Ｂ      グリル用リモコン
１１      トッププレート
１２      前面部
１３      電池ケース
１４（１４ａ、１４ｂ、１４ｃ）    点消火ボタン（加熱／停止手動操作部）
１５      火力調節レバー
１６      設定スイッチ
１６ａ    左コンロ高温・鍋なし設定スイッチ
１６ｃ    右コンロ高温・鍋なし設定スイッチ
１７      設定表示ランプ
１７ａ    左コンロ高温・鍋なし設定表示Ｌランプ
１７ｃ    右コンロ高温・鍋なし設定表示Ｌランプ
２１      五徳
２３      点火装置
２４      点火検知装置
２５      容器検知手段
２６      温度センサ
２８      グリル扉
３１      コンロバーナ（ガスバーナ）
５０Ｓ    コンロ用リモコンの無線通信部
５１      コンロ用リモコンの報知部
６１ｃ    大火用の流路
６１ｄ    小火用の流路
６２      安全弁
６３      メイン弁
６５      流量制御弁
６６      スライダ
６７      バルブロッド
７０Ａ、７０Ｂ      交番磁界発生部（一次巻線）
７１      オートメニュー設定部
７２      オートメニュー表示部
７３      タイマ入力部
７４      タイマ表示部
７５Ａ    コンロ用リモコンを収容するリモコンホルダ
７５Ｂ    グリル用リモコンを収容するリモコンホルダ
８０Ａ、８０Ｂ      二次巻線
９０（９０ａ、９０ｂ）    磁石
９３ａ    グリル用の限定的調理設定部の火力表示部
９３ｃ    グリル用の限定的調理設定部の火力切り換えスイッチ
１００    制御部
１１０Ａ、１１０Ｂ    ＩＤコード転送手段
１５０Ｓ  グリル用リモコンの無線通信部
１５１    グリル用リモコンの報知部
２００Ｓ  無線通信部
２００Ａ  コンロ用の限定的調理設定部
２００Ｂ  リモコン側のコンロ用の調理設定部
３００Ａ  グリル用の限定的調理設定部
３００Ｂ  リモコン側のグリル用の調理設定部
Ｈ        ガス調理器本体
ＬＢ１、ＬＢ２  ラッチ式電磁弁
【図１】
2018194261.tif 000004
【図２Ａ】
2018194261.tif 000005
【図２Ｂ】
2018194261.tif 000006
【図３Ａ】
2018194261.tif 000007
【図３Ｂ】
2018194261.tif 000008
【図３Ｃ】
2018194261.tif 000009
【図４Ａ】
2018194261.tif 000010
【図４Ｂ】
2018194261.tif 000011
【図５】
2018194261.tif 000012
【図６】
2018194261.tif 000013
【図７】
2018194261.tif 000014